(57)【要約】【課題】デジタルペンを利用して入力した情報を、携帯で付加情報と共に送付し、入力情報の認識結果を携帯電話にて確認し、その場で修正を実施可能とすることで、確認用端末の持ち運びや窓口への確認を無くし、利用者の入力確認に係る負担を軽減させる。【解決手段】予め定義した携帯電話表示用のＸＭＬ定義ファイルに文字認識結果の値を入力し、入力に使用されたペンＩＤから、登録された携帯電話のメールアドレスに認識結果確認のＷｅｂアドレスを明記したメールを送付する。入力者は携帯からメールに記載されたアドレスを参照し、文字入力の結果をその場で実施することができる。入力結果に問題がある場合、新たな帳票に修正項目を記入して再送することで、その場で修正を実施することができる。【選択図】図３
2007316877.tif 000002
【特許請求の範囲】
【請求項１】
記載した情報をコンピュータ上に転送し認識させるデジタルペンにおいて、コンピュー
タと直接接続されない状況下でもデジタルペンの入力結果を確認・修正する方式。
【発明の詳細な説明】
【技術分野】
【０００１】
本発明は、デジタルペンを利用して入力した情報を、無線でのネットワークを介して処
理するシステムに関する。
【背景技術】
【０００２】
情報の電子化が進むに伴い、コンピュータの操作に不慣れな利用者でも使用可能な入力
デバイスとして「電子ペン」もしくは「デジタルペン」と呼ばれる、ペン型の入力デバイ
スが開発されている。
【０００３】
記載した情報をペン内に蓄積し、ネットワークを介してコンピュータ上に転送が可能な
デジタルペンは、認識を実行するコンピュータがない場所でもデータ入力を実施できる携
帯性を有している。その一方で記載した内容が正常に認識されているかを確認するには、
コンピュータに接続してディスプレイ上から認識結果を確認する必要があり、利便性を損
ねている。
【特許文献１】特開２００６−１１７６６号公報
【発明の開示】
【発明が解決しようとする課題】
【０００４】
従来のデジタルペンは、ペンに記入情報を蓄積し、携帯電話やネットワークと接続した
コンピュータに接続することで蓄積した情報を変換サーバに転送し、文字認識を実施して
いた。
【０００５】
上記方式では、コンピュータのない場所でのデジタルペンによる入力が可能であり、携
帯性に優れている一方で、入力した情報の認識結果をその場で確認することができない。
結果、利用の範囲は屋内の窓口など、コンピュータの設置がされた場所もしくは、確認用
のノートパソコン等が必要となり、その携帯性を十分に発揮できずにいた。
【０００６】
本発明の目的は、デジタルペンの入力結果を、ネットワークへの接続に使用する携帯電
話を用いてその場で確認・その場で修正可能とすることで、ペンデバイスを用いた入力の
適用分野を広げることにある。
【課題を解決するための手段】
【０００７】
上記目的を達成するために、本発明では、サーバ側で認識した入力結果を携帯電話に返
却し、入力内容の確認した後、修正部分に関して再データ送信することで修正を実施する
。
【発明の効果】
【０００８】
本発明により、デジタルペンによる記入結果をペンと接続した携帯電話から参照するこ
とにより、記入の際の誤字や認識誤りの確認をコンピュータが設置している窓口まで戻る
必要なく確認することが可能となり、利用者の負担を大幅に削減することができる。
【発明を実施するための最良の形態】
【０００９】
以下、本発明の実施の形態について図面により詳細に説明する。
【００１０】
図１はデジタルペンのハードウェア構成の概略である。ペン軸（１００１）、カメラ（
１００２）、筆圧センサ（１００３）、画像処理装置（１００４）、メモリ（１００５）
、バッテリー（１００６）、通信制御部（１００７）を備えているものとする。デジタル
ペンは用紙に記述する際にペン軸によって記録された記述内容をカメラ（１００２）、画
像処理装置（１００４）を経由してメモリ部分（１００４）に蓄積する。またペン軸（１
００１）にかかった力についても筆圧センサ（１００３）を通してメモリ（１００５）に
記憶する。
【００１１】
図２はデジタルペンの入力に用いる用紙を示す。用紙は帳票のフォーマット毎の固有Ｉ
Ｄである帳票ＩＤ（２００１）が割り当てられており、帳票の記入完了時に完了チェック
欄をチェックすることで、帳票の記述を完了する。デジタルペンのメモリ（１００５）に
は複数の帳票分の記入データを蓄積しておくことができ、通信制御部分（１００７）を経
由して携帯に接続することで入力データを一括転送する。
【００１２】
図３は本発明の使用形態を表す模式図を示したものである。図３において、３００１は
デジタルペン、３００２はデジタルペンと接続した携帯電話、３００３はＬＡＮとの接続
ポイントとなる端末、３００４は入力情報を制御するアプリケーションサーバ、３００５
は入力された文字を認識させる文字認識サーバ、３００６は文字認識後の結果を外部から
参照する際に接続する照会サーバを示したものである。
【００１３】
デジタルペンで入力されたデータはデジタルペン内のメモリ（１００５）に蓄積され、
デジタルペンの通信制御部（１００７）と携帯電話を接続した際に接続端末へと転送され
る。接続端末は入力された情報をアプリケーションサーバ（３００４）へと転送する。
【００１４】
アプリケーションサーバ３００４では、帳票の種類ごとに付与された帳票ＩＤ（２００
１）を元にデータの入力フォーマットを特定し、文字認識サーバ（３００５）内に文字認
識を依頼する。文字認識サーバ（３００５）では、入力したストロークデータを解析し、
入力フォーマットで定められた項目の通りテキスト解析し、認識結果としてＸＭＬファイ
ルへと変換する。
【００１５】
文字認識完了後、アプリケーションサーバは入力データＤＢ内の帳票ＩＤ（３００６）
を元に、対応する携帯電話表示用のフォーマットを作成する。ファイル作成後、使用者情
報ＤＢを参照し、送信情報に含まれているペンＩＤと使用者情報ＤＢに登録されているペ
ンＩＤとを照合する。図４は使用者情報ＤＢである。同一のペンＩＤが存在した場合、登
録されている携帯電話のメールアドレスに認識結果確認用のＷｅｂアドレスを記入したメ
ールを送信する。
【００１６】
デジタルペンの入力者は、携帯電話に送信されたメールに記載されたアドレスを参照し
、入力した文字の変換結果に誤記および変換誤りがないか確認する。
【００１７】
誤りがあった場合、帳票に修正ＩＤを入力し、修正対象の記入枠の横に配置されたチェ
ックボックスにチェックを入力、修正内容を記入し、再度送信する。
【００１８】
図５は本実施形態の処理の流れを示す図、図６は図５に続く処理の流れを示す図である
。アプリケーションサーバでは通常の申請時と同様に入力レコードを読み込み（５００１
）、受付番号を付与した後（５００２）、入力データＤＢに登録する（５００３）。その
後認識サーバで文字認識を実行し、文字認識後の結果となるＸＭＬを認識結果として入力
データＤＢに登録する（５００４）。認識結果のＸＭＬから修正ＩＤの値を読み込み（５
００５）、値が入力されているかを確認する（５００６）。値が入力されていれば、修正
用のデータ入力であると判断し、修正ＩＤと同じ値の受付ＩＤが存在するか確認する（５
００７）。同じ値の受付ＩＤが存在しない場合、修正ＩＤ誤りのエラーメッセージを作成
する。同じ値の受付ＩＤが存在する場合、同じ値の受付番号を持つ入力データＤＢのレコ
ードを、修正対象の入力データと判断し、レコードを読み込む（５００８）。修正対象の
入力データの処理ステータスが完了となっている場合は、既に入力データに対する修正が
締め切られていることを示すため、修正不可のエラーメッセージを作成する（５００９）
。処理ステータスが完了でない場合、修正が受け付けられる状態であることを示すため、
処理を続行する。
【００１９】
認識結果であるＸＭＬ中の各項目の項番をｎとし、項番ｎの項目に対する修正チェック
ボックスに値があるかを判定する（５０１０）。値がない場合は、当該項番は修正対象で
ないとみなし、処理を継続する。値が入力されている場合、当該項番は修正対象となるデ
ータが入力されていると判断し、修正後の項番ｎのデータを、修正元となる帳票の項番ｎ
のデータに対して格納する。以降、ｎが認識結果のＸＭＬが保持している総項目数分実行
する（５０１２）。全ての項目数実行が完了したら、修正元の帳票の認識結果に変更分の
みを更新した結果を、修正後の認識結果として入力データＤＢに更新する（５０１３）。
【００２０】
結果として、認識結果は、前回の認識結果に対し、今回修正した項目を上書きした値と
して格納される。
【００２１】
文字認識完了後、アプリケーションサーバは入力データＤＢ内の帳票ＩＤ（３００６）
を元に、対応する携帯電話表示用のフォーマットを照会サーバ上に作成する。ファイル作
成後、図５使用者情報ＤＢを参照し、送信情報に含まれているペンＩＤと使用者情報ＤＢ
に登録されているペンＩＤ（５００１）とを照合する。同一のペンＩＤが存在した場合、
登録されている携帯電話のメールアドレス（５００２）に認識結果確認用のＷｅｂアドレ
スを記入したメールを送信する。
【００２２】
デジタルペンの入力者は、携帯電話に送信されたメールに記載されたＷｅｂアドレスへ
アクセスすることで、照会サーバ上の携帯電話表示用の入力結果を参照し、誤記および変
換誤りがないか再度確認する。
【図面の簡単な説明】
【００２３】
【図１】デジタルペンのハードウェア構成の概略図である。
【図２】デジタルペンの入力に用いる用紙を示す。
【図３】本発明の使用形態を表す模式図である。
【図４】使用者情報ＤＢを示す。
【図５】本実施形態の処理の流れを示す図である。
【図６】図５に続く処理の流れを示す図である。
【符号の説明】
【００２４】
３００１…デジタルペン、３００２…携帯電話、３００３…データ転送端末、３００４
…アプリケーションサーバ、３００５…文字認識サーバ、３００６…照会サーバ。
【図１】
2007316877.tif 000003
【図２】
2007316877.tif 000004
【図３】
2007316877.tif 000005
【図４】
2007316877.tif 000006
【図５】
2007316877.tif 000007
【図６】
2007316877.tif 000008